(57)【特許請求の範囲】
【請求項１】
円筒形の周壁(４)下面を閉塞する底壁(６)の中心からボス(８)を起立してなる容器体(２)と、
容器体上面を覆う蓋体の中心から垂下する回動軸(１８)を上記ボス(８)に回動可能及び上下動自在に装着した蓋体(１２)とを有する錠剤容器であって、
上記容器体(２)の底壁(６)及び蓋体(１２)の頂壁(１４)の双方に放射状に配列された複数の垂直板(Ｐ１、Ｐ２)を垂直方向に連なるように付設して、これら垂直板により、ボス(８)及び回動軸(１８)の周りの容器内部分を周方向に複数の隔室(Ｒ)に分割する隔壁(Ｐ)を形成し、
かつ一個の隔室のみを開口可能なサイズの取出口(１６)を蓋体(１２)に開口し、
さらに容器体(２)と蓋体(１２)との間に、蓋体の上昇により回り止めを解消可能な蓋体回り止め機構(３６)を設けており、
この蓋体回り止め機構(３６)は、相互に連なる２つの垂直板(Ｐ１、Ｐ２)のうち、一方の垂直板に他方の垂直板への係合突起(３４)を付設しており、
この係合突起(３４)は、蓋体(１２)の降昇により他方の垂直板の対向辺に対して着脱し、対向辺に当たった状態で蓋体への回転力に抵抗可能に係止するように形成したことを特徴とする、錠剤容器。
【請求項２】
円筒形の周壁(４)下面を閉塞する底壁(６)の中心からボス(８)を起立してなる容器体(２)と、
容器体上面を覆う蓋体の中心から垂下する回動軸(１８)を上記ボス(８)に回動可能及び上下動自在に装着した蓋体(１２)とを有する錠剤容器であって、
上記容器体(２)の底壁(６)に放射状に配列するように付設された複数の垂直板(Ｐ１)により形成した隔壁(Ｐ)で、ボス(８)及び回動軸(１８)の周りの容器内部分を周方向に複数の隔室(Ｒ)に分割しており、
各垂直板(Ｐ１)は、底壁(６)から蓋体の頂壁(１４)付近まで起立されており、
一個の隔室のみを開口可能なサイズの取出口(１６)を蓋体(１２)に開口し、
さらに容器体(２)と蓋体(１２)との間に、蓋体の上昇により回り止めを解消可能な蓋体回り止め機構(３６)を設けており、
この蓋体回り止め機構(３６)は、上記蓋体の頂壁又は蓋周壁に、上記垂直板への係合突起(３４)を付設しており、
この係合突起(３４)は、蓋体(１２)の降昇により垂直板の対向辺に対して着脱し、対向辺に当たった状態で蓋体への回転力に抵抗可能に係止するように形成したことを特徴とする、錠剤容器。
【請求項３】
上記ボス(８)と回動軸(１８)との間に蓋体を下方へ付勢する付勢手段(３８)を設けたことを特徴とする、請求項１又は請求項２に記載の錠剤容器。
【請求項４】
上記蓋体(１２)は、蓋周壁(２８)を有し、この蓋周壁の下端から、容器体の周壁(４)に当接させて径方向のガタつきを低減するガタ止め用突片(３０)を突設したことを特徴とする、請求項３に記載の錠剤容器。
【請求項５】
上記回動軸(１８)のうちボス(８)内へ嵌合するための嵌合用筒(２２)を蓋体(１２)と別体として形成したことを特徴とする、請求項１から請求項４のいずれかに記載の錠剤容器。
【発明の詳細な説明】
【技術分野】
【０００１】
本発明は、錠剤容器に関する。
【背景技術】
【０００２】
従来、錠剤や菓子などの粒状の内容物を収納する容器として、円盤状の底壁の外周から一部に取出口を開口する周壁を起立するとともに、外周に内容物収納用の凹所を有する回転体を容器体内に嵌合し、その回転体を回転させることで凹所を取出口に合わせ、取出口から内容物を取出可能に構成したものが知られている（特許文献１及び特許文献２）。
【先行技術文献】
【特許文献】
【０００３】
【特許文献１】特開２００４−９９１１８
【特許文献２】特開２００６−２４０７０７
【発明の概要】
【発明が解決しようとする課題】
【０００４】
特許文献１及び特許文献２の容器は、回転体を回動するだけで内容物を取り出せるから、例えば子供が勝手に操作して内容物を出してしまう可能性があり、特に錠剤を収納するときには問題であった。
【０００５】
本発明の目的は、蓋体を引き上げかつ回転しないと内容物を取り出すことができず、子供の悪戯を有効に排除することができるものを提供することである。
【課題を解決するための手段】
【０００６】
第１の手段は、
円筒形の周壁４下面を閉塞する底壁６の中心からボス８を起立してなる容器体２と、
容器体上面を覆う蓋体の中心から垂下する回動軸１８を上記ボス８に回動可能及び上下動自在に装着した蓋体１２とを有する錠剤容器であって、
上記容器体２の底壁６及び蓋体１２の頂壁１４の双方に放射状に配列された複数の垂直板Ｐ１、Ｐ２を垂直方向に連なるように付設して、これら垂直板により、ボス８及び回動軸１８の周りの容器内部分を周方向に複数の隔室Ｒに分割する隔壁Ｐを形成し、
かつ一個の隔室のみを開口可能なサイズの取出口１６を蓋体１２に開口し、
さらに容器体２と蓋体１２との間に、蓋体の上昇により回り止めを解消可能な蓋体回り止め機構３６を設けており、
この蓋体回り止め機構３６は、相互に連なる２つの垂直板Ｐ１、Ｐ２のうち、一方の垂直板に他方の垂直板への係合突起３４を付設しており、
この係合突起３４は、蓋体１２の降昇により他方の垂直板の対向辺に対して着脱し、対向辺に当たった状態で蓋体への回転力に抵抗可能に係止するように形成している。
【０００７】
本手段では、容器体のボスに蓋体の回動軸を上下動可能に設け（図８参照）、蓋体の上昇時に回り止めが解消される蓋体回り止め機構を設けることを提案している。蓋体回り止め機構は、正逆何れの方向への蓋体の回動も防止できることが望ましい。本手段に係る容器体及び蓋体は、相互に連なる垂直板を有し、２枚の垂直板で隔壁を形成している。“連なる”とは径方向からみてほぼ直線状に配置されているという程度の意味である。
【０００９】
また本手段では、隔壁を構成する２枚の垂直板との間に蓋体回り止め機構を形成することを提案している。既存の錠剤容器に存する隔壁が回り止め手段を兼ねているので、構造が比較的簡易となる。好適な図示例では、図６に示す如く容器体側の垂直板の両端部をボス及び周壁に、また蓋体側の垂直板の両端部を回動軸及び蓋周壁にそれぞれ連結して、蓋体の回転に対する対抗力を向上させている。
【００１０】
「係合突起」は、蓋体の回り止めができれば如何なる構造でもよいが、好適な一例として、図７に示す如く径方向からみてＶ字形の凹所（Ｎ）を形成し、この凹所内に垂直板がすることができる。図示例では、全ての隔壁に係合突起を設けているが、一部の隔壁にのみ設けてもよい。なお、一の垂直板の係合突起と他の垂直板との位置合わせを可能とするための位置決め手段を設けてもよい。位置決め手段の好適な一例は、所定の位置で相互に浅く嵌り合う凹凸状の係合手段をボスと回転軸の適所に設けることである（図８の符号４４）。
【００１１】
第２の手段は、
円筒形の周壁４下面を閉塞する底壁６の中心からボス８を起立してなる容器体２と、
容器体上面を覆う蓋体の中心から垂下する回動軸１８を上記ボス８に回動可能及び上下動自在に装着した蓋体１２とを有する錠剤容器であって、
上記容器体２の底壁６に放射状に配列するように付設された複数の垂直板Ｐ１により形成した隔壁Ｐで、ボス８及び回動軸１８の周りの容器内部分を周方向に複数の隔室Ｒに分割しており、
各垂直板Ｐ１は、底壁６から蓋体の頂壁１４付近まで起立されており、
一個の隔室のみを開口可能なサイズの取出口１６を蓋体１２に開口し、
さらに容器体２と蓋体１２との間に、蓋体の上昇により回り止めを解消可能な蓋体回り止め機構３６を設けており、
この蓋体回り止め機構３６は、上記蓋体の頂壁又は蓋周壁に、上記垂直板への係合突起３４を付設しており、
この係合突起３４は、蓋体１２の降昇により垂直板の対向辺に対して着脱し、対向辺に当たった状態で蓋体への回転力に抵抗可能に係止するように形成している。
【００１２】
本手段では、図１２に示すように、容器体の底壁側から起立する一枚の垂直板Ｐ１だけで隔壁Ｐを形成している。蓋体回り止め機構の係合突起は、図示例のように、蓋体の頂壁側から突出してもよいが、蓋周壁の内面から突出してもよい。
【００１３】
第３の手段は、第１の手段又は第２の手段を有し、かつ上記ボス８と回動軸１８との間に蓋体を下方へ付勢する付勢手段３８を設けている。
【００１４】
本手段では、図６に示すコイルスプリングなどの付勢手段によって蓋体を下方へ付勢しているので、先の手段で述べた係合突起が垂直板と当接可能な状態（例えば図７に示す凹所Ｎ内に垂直板の端部が挿入されている状態）にあることを確実にする。従って蓋体回り止め機構の機能を確かなものとすることができ、偶発的に取出口が開いてしまうことを防止できる。
【００１５】
第４の手段は、第３の手段を有し、かつ蓋体１２は、蓋周壁２８を有し、この蓋周壁の下端から、容器体の周壁４に当接させて径方向のガタつきを低減するガタ止め用突片３０を突設している。
【００１６】
本手段では、図５に示すように容器体に対する蓋体のガタつきを低減するガタ止め用突片を設けることを提案している。上記ガタつきにより、付勢手段であるスプリングが外部からの応力により損傷することを防止するためである。ガタ止め用突片は蓋周壁の全周に間欠的に設けるとよい。
【００１７】
第５の手段は、第1の手段から第４の手段のいずれかを有し、かつ上記回動軸１８のうちボス８内へ嵌合するための嵌合用筒２２を蓋体１２と別体として形成している。
【００１８】
本手段では、図１０に示すように嵌合用筒を蓋体とは別体として設けている。これにより、一つの金型によって成形することができる成形品の数（個取り）が多くなる。
【発明の効果】
【００１９】
第１の手段及び第２の手段に係る発明によれば、内容物の取り出しに蓋体を引き上げて回転させるという二つの動作が必要だから、子供の悪戯などにより、内容物を取り出してしまう可能性が少ない。
【００２０】
また第１の手段及び第２の手段に係る発明によれば、隔壁の一部を蓋体の回り止め手段として兼用したから、比較的装置を簡単にすることができる。
【００２１】
第３の手段に係る発明によれば、ボス８と回動軸１８との間に蓋体を下方へ付設する付勢手段３８を設けたから、係合突起３４が隔壁Ｐの上端部に圧接され、蓋体の回り止め機能を確実に発揮できる。
【００２２】
第４の手段に係る発明によれば、蓋周壁の下端から、容器体の周壁に当接させて、径方向のガタつきを低減するガタ止め用突片３０を設けたから、ボス８と回動軸１８との間に設けた付勢手段に無理な応力がかからないようにすることができる。
【００２３】
第５の手段に係る発明によれば、回動軸１８のうち嵌合用筒２２を蓋体１２とは別体として設けたから、一つの金型によって成形することができる成形品の数を多くすることができる。
【図面の簡単な説明】
【００２４】
【図１】本発明の第１の実施形態に係る錠剤容器の斜視図である。
【図２】図１の容器の容器体の平面図である。
【図３】図１の容器の容器体の斜視図である。
【図４】図１の容器の蓋体の平面図である。
【図５】図１の容器の蓋体の底面図である。
【図６】図２のＡ−Ａ方向に見た同容器の縦断面図である。
【図７】図２のＢ−Ｂ方向に見た同容器の縦断面図である。
【図８】図１の容器の作用説明図である。
【図９】図１の容器の変形例を示す図である。
【図１０】本発明の第２の実施形態に係る錠剤容器の縦断面図である。
【図１１】図１０の容器の分解図である。
【図１２】本発明の第３の実施形態に係る錠剤容器の縦断面図（図１３のＣ−Ｃ方向に見た断面図）である。
【図１３】図１２の容器の容器体の平面図である。
【図１４】図１２の容器の蓋体の底面図である。
【発明を実施するための形態】
【００２５】
図１から図９は、本発明の第１の実施形態に係る錠剤容器を示している。この錠剤容器は、容器体２と、蓋体１２とを具備する。これら容器体及び蓋体は合成樹脂で形成することができる。
【００２６】
容器体２は、図６に示す如く、円筒形の周壁４の下端を閉塞する底壁６を有し、この底壁から円筒形のボス８を起立している。ボスの上部内面には抜止めリブ１０を周設している。このボス８から周壁４へ複数の第１の垂直板Ｐ１を放射状に突出している。図示例の第１の垂直板は、周壁と同程度の高さを有しているがその構成は適宜変更することができる。
【００２７】
また本実施形態では、隣り合う隔壁に挿まれる底壁部分の一つを他の底壁より高い上底板６ａに形成している。その理由は、初期の状態で開口部に対応する底壁部分を区別し易くするためである。
【００２８】
蓋体１２は、円盤状の頂壁１４を有する。この頂壁は、図４に示すように、その偏心位置に錠剤ＢＴを取り出すための取出口１６を開口するとともに、頂壁の中心から図６に示す回動軸１８を垂下して、この回動軸を上記ボス８内に嵌合している。好適な図示例では、回動軸の上部を大径の中実部２０、回動軸の下部を小径の嵌合用筒２２としている。この嵌合用筒は、下端に鍔部２４を有する筒体であり、この筒体をボスの内部へ嵌着させている。ボス内への嵌め込みを容易にするために、回動軸の下部である筒体を、図５に示すように、スリット２６の穿設により２つの半筒部に分割してもよい。
【００２９】
上記蓋体の頂壁１４外周部からは、回動操作筒である蓋周壁２８を垂下している。蓋周壁の下端からは、複数（図示例では隔壁と同数）のガタ止め用突片３０を垂下して、容器体の周壁４内面に当接させている。
【００３０】
また上記蓋周壁の頂壁からは、前述の各第１の垂直板Ｐ１に対応して、下方周壁の上端に当接する第２の垂直板Ｐ２を垂下する。一対の第１の垂直板Ｐ１及び第２の垂直板Ｐ２は、ボス及び回動軸の周りの容器内部を区切る隔壁Ｐを構成する。隣り合う隔壁の間には隔室Ｒが形成される。上記隔壁Ｐは、等角的に配置することが望ましい。
【００３１】
第２の垂直板Ｐ２の周方向両側には、縦リブ３２を縦設するとともに、第２の垂直板の下端よりも下方へ延長して、この延長部分を係合突起３４に形成する。この係合突起の内面と第２の垂直板の下面とは、図７に示すようにＶ字形の凹所Ｎを形成しており、この凹所内に第１の垂直板Ｐ１の上端部を挟持させることで、蓋体回り止め機構３６を構成している。縦リブ３２の延長部分として係合突起３４を突設しているので、係合突起の係合力を高めることができる。縦リブ３２及び係合突起３４は、基本的には隔壁のどこに設けても構わないが、ボス８からある程度離れている方が望ましい。
【００３２】
さらに図示例では、図８に示す如くボスの内面上部に、隣り合う隔壁Ｐの間の角度に対応して、等角的に隔壁と同数の浅い位置合わせ用突条４６を縦設し、鍔部２４の先部に位置合わせ用突条と嵌り合う凹条を縦設して位置合わせ機構４４を構成している。これにより、係合突起３４が容器体側の垂直板Ｐ１の真上に来たときに位置合わせ用突条及び凹条の嵌合によるクリック感を生ずる。ボス側に凹条を、鍔部側に位置合わせ用突条を形成してもよく、また、位置合わせ機構は別の場所に設けても構わない。凹条はスリット或いは凹溝などとして形成することができる。
【００３３】
本実施例の構成によれば、第１の垂直板Ｐ１は、例えば図６に示す如く、長方形状の３つの辺をボス８と底壁６と周壁４とに固定されており、同じく第２の垂直板Ｐ２は、３つの辺を中実部２０と頂壁１４と蓋周壁２８で固定されているので、構造的に堅牢である。そして第１の垂直板及び第２の垂直板のうち互いに対向する残りの一辺を、係合突起３４を介して固定しているので、例えば子供が無理に蓋体を回そうとしても十分な抵抗力を発揮できる。もっとも本発明は、この構成に限定されるものではなく、単一の隔壁を、容器体の底壁側から蓋体の頂壁付近まで、あるいは蓋体の頂壁側から容器体の底壁付近まで突設しても構わない。
【００３４】
図９は、本実施形態の変形例を示している。この例では、上記縦リブ３２を第１の垂直板Ｐ１に縦設し、この縦リブを上方へ延長してなる係合突起３４に、第２の垂直板Ｐ２の下端部を挟持させている。
【００３５】
また回動軸１８の鍔部２４とボスの抜止め突条１０との間には、付勢手段３８であるコイルスプリングが介装されており、蓋体を下方に付勢するようにしている。この付勢力により、二股状の係合突起３４は第１の垂直板Ｐ１の上端に圧接され、蓋体の廻り止を確実なものとする。
【００３６】
上記構成において、図１の状態では、上記蓋体回り止め機構が働いているので、このまま蓋体を回動して錠剤を取り出すことができない。容器体２に対して蓋体１２を引っ張り上げると、回り止め機能が解除される。そして蓋体を回転させて錠剤の入った隔室Ｒまで取出口を移動し、錠剤を取り出すことができる。
【００３７】
以下、本発明の他の実施形態を説明する。これらの説明において第１実施形態と同じ構成については同一の符号を付することで解説を省略する。
【００３８】
図１０及び図１１は、本発明の第２の実施形態を示している。本実施形態では、回動軸１８の構成を変更している。すなわち、回動軸のうち嵌合用筒２２を、蓋体の他部（回動軸の中実部を含む）とは別体として形成したものである。中実部２０には、嵌合用筒をはめ込むための下方開口の固定穴４２を設ける。嵌合用筒２２は合成樹脂で形成することができる。この場合には、先の実施形態におけるスリットを嵌合用筒に設ける必要がない。位置決め機構についての第１実施形態の記載は本実施形態に援用する。
【００３９】
図１２から図１４は、本発明の第３の実施形態に係る錠剤容器を示している。この実施形態では、第１の実施形態の第２の垂直板を省略する代わりに、図１２に示すように蓋体の頂壁１４付近まで第１の垂直板Ｐ１を延長することで隔壁Ｐとしている。上記頂壁１４には、垂直板Ｐ１の上部を係止する複数の係合突起３４を設けている。図示例の係合突起は、図１４に示すように周方向に並んだ一対の垂片として形成し、図１３に想像線で示すこれら垂片の下部の間に、第１の垂直板Ｐ１を挟むように形成している。
【００４０】
上記第１の垂直板Ｐ１は蓋周壁２８の上端よりも上方へ延長している。そして第１の垂直板の半径方向の外端部は、蓋周壁の内面に当接するガタ止め用部３１に形成している。
【００４１】
また図示例では、容器体の底壁６のうち取出口の下方部分を、第１の垂直板Ｐ１の上端と同じ高さまで隆起させて、水平な上壁７に形成している。
【符号の説明】
【００４２】
２…容器体  ４…周壁  ６…底壁  ６ａ…上底板  ７…上壁  ８…ボス
１０…抜止め突条  １２…蓋体  １４…頂壁  １６…取出口  １８…回動軸
２０…中実部  ２２…嵌合用筒  ２４…鍔部
２６…スリット  ２８…蓋周壁  ３０…ガタ止め用突片
３１…ガタ止め用部  ３２…縦リブ
３４…係合突起  ３６…蓋体回り止め機構  ３８…付勢手段  ４２…固定穴  
４４…位置合わせ機構  ４６…位置合わせ用突条
Ｐ…隔壁  Ｐ１…（第１の）垂直板  Ｐ２…（第２の）垂直板  Ｒ…隔室
Ｎ…凹所  ＢＴ…錠剤
【図１】
0005435563.tif 000002
【図２】
0005435563.tif 000003
【図３】
0005435563.tif 000004
【図４】
0005435563.tif 000005
【図５】
0005435563.tif 000006
【図６】
0005435563.tif 000007
【図７】
0005435563.tif 000008
【図８】
0005435563.tif 000009
【図９】
0005435563.tif 000010
【図１０】
0005435563.tif 000011
【図１１】
0005435563.tif 000012
【図１２】
0005435563.tif 000013
【図１３】
0005435563.tif 000014
【図１４】
0005435563.tif 000015